(57)【要約】      （修正有）【課題】どこの製造メーカーの逆止弁付パッキンでも取り付けられると共に、逆止弁の交換やメンテナンスを簡単且つ迅速に行える水道用メータユニットを提供する。【解決手段】長尺状のベース１と、ベース１の一端部に設けた一次側メータ保持部材２と、逆止弁付パッキン３が組み込まれる二次側メータ保持部材４と、一次側メータ保持部材２に二次側メータ保持部材４側に設けた筒状のスライド部材５とを備え、スライド部材５と二次側メータ保持部材４との間に水道メータ１４を挟持する水道用メータユニットにおいて、二次側メータ保持部材４は、ベース１に固定される二次側支柱部４ａと、二次側支柱部４ａに連設されて逆止弁付パッキン３が収容される二次側筒部４ｂと、二次側筒部４ｂの上流側端面に形成されて逆止弁付パッキン３のパッキンが嵌合される環状段部４ｄと、二次側筒部４ｂの上流側端面に連設されて水道メータ１４の出口側端部を支持するメータ受け４ｅとを備える。【選択図】図３
0003195103.tif 000002
【実用新案登録請求の範囲】
【請求項１】
長尺状のベース（１）と、ベース（１）の一端部に設けた一次側メータ保持部材（２）と、ベース（１）の他端部に設けられて外径寸法が共通している逆止弁付パッキン（３）が組み込まれる二次側メータ保持部材（４）と、一次側メータ保持部材（２）に二次側メータ保持部材（４）側へスライド可能に設けた筒状のスライド部材（５）とを備え、スライド部材（５）を移動調整してスライド部材（５）と二次側メータ保持部材（４）との間に水道メータ（１４）を着脱自在に挟持するようにした水道用メータユニットにおいて、前記二次側メータ保持部材（４）は、ベース（１）に固定される二次側支柱部（４ａ）と、二次側支柱部（４ａ）に連設されて逆止弁付パッキン（３）が収容される流路（４ｃ）を形成する二次側筒部（４ｂ）と、二次側筒部（４ｂ）の上流側端面に形成されて逆止弁付パッキン（３）のパッキン（３′）が嵌合される流路（４ｃ）よりも大径の環状段部（４ｄ）と、二次側筒部（４ｂ）の上流側端面に連設されて水道メータ（１４）の出口側端部を支持するメータ受け（４ｅ）とを備えており、メータ受け（４ｅ）で支持された水道メータ（１４）の出口側端部と環状段部（４ｄ）とで逆止弁付パッキン（３）のパッキン（３′）を挟持する構成としたことを特徴とする水道用メータユニット。
【請求項２】
逆止弁付パッキン（３）は、二次側筒部（４ｂ）の環状段部（４ｄ）に嵌合される断面形状がコ字状で且つ環状のパッキン（３′）と、パッキン（３′）の環状の溝に保持されてパッキン（３′）の外径よりも小径に形成されていると共に、二次側筒部（４ｂ）の流路（４ｃ）内に収容される逆止弁（３″）とから構成されていることを特徴とする請求項１に記載の水道用メータユニット。
【請求項３】
二次側メータ保持部材（４）は、二次側筒部（４ｂ）に形成されてプラグ（１８）が着脱自在に挿着されるエアー抜き孔（４ｇ）又は水抜き孔（４ｇ）を備えていることを特徴とする請求項１又は請求項２に記載の水道用メータユニット。
【請求項４】
二次側メータ保持部材（４）の二次側筒部（４ｂ）の下流側端部外周面に二次側配管が着脱自在に接続される雄ねじ（４ｆ）を形成したことを特徴とする請求項１、請求項２又は請求項３に記載の水道用メータユニット。
【請求項５】
二次側メータ保持部材（４）の二次側筒部（４ｂ）の下流側端部内周面に二次側配管が着脱自在に接続される雌ねじ（４ｉ）を形成したことを特徴とする請求項１、請求項２又は請求項３に記載の水道用メータユニット。
【考案の詳細な説明】
【技術分野】
【０００１】
本考案は、例えば、マンションや集合住宅等の戸口付近に設けたパイプシャフト等の収納スペースに設置され、水道の使用量を計測するための水道メータを取り付ける水道用メータユニットの改良に係り、特に、水道メータの二次側に設置される逆止弁に主要寸法（外径寸法）が共通している逆止弁付パッキンを使用し、どこの製造メーカーの逆止弁付パッキンでも取り付けられると共に、逆止弁付パッキンの交換やメンテナンスを簡単且つ迅速に行え、しかも、部品点数の削減を図れるようにした水道用メータユニットに関するものである。
【背景技術】
【０００２】
従来、マンションや集合住宅等の戸口付近に設けたパイプシャフト等の収納スペースには、水道の使用量を計測するための水道メータをベース、配管、継手、止水栓等の部材とユニット化した水道用メータユニットが設置されている。
【０００３】
水道配管の途中に設置される水道メータは、計量法で定めた所定の期間後に交換する必要があるため、ねじ固定式や圧着固定式等の固定手段によって水道用メータユニットに交換可能に取り付けられている。この水道用メータユニットには、現在では作業性に優れた圧着固定式を採用する傾向が見られる。
【０００４】
前記圧着固定式の水道用メータユニットは、図示していないが、例えば、収納スペースに設置された長尺状のベースと、ベースの一端部に設けられて水道メータの入口側端部を支持する一次側メータ保持部材と、一次側メータ保持部材の上流側に継手等を介して接続された止水栓と、一次側メータ保持部材に設けられて回転操作によりスライドするねじ式のスライド部材と、ベースの他端部に一次側メータ保持部材に対向する状態で設けられてカートリッジ式の逆止弁を組み込んだ二次側メータ保持部材と、二次側メータ保持部材に着脱自在に取り付けられて水道メータの出口側端部を支持する円弧状の受け部を有すると共に、逆止弁を抜け止めするキャップ部材等を備えている。
【０００５】
この水道用メータユニットは、水道メータの出口側端部をメータ受けで支持し、スライド部材を水道メータ側へ移動調整することにより、スライド部材とキャップ部材との間に水道メータを着脱自在に挟持することができるようになっており、止水栓の入口側には、継手等を介して一次側配管が接続されていると共に、二次側メータ保持部材の下流側には、継手等を介して二次側配管が接続されている。
【０００６】
また、水道用メータユニットは、二次側メータ保持部材に組み込んだカートリッジ式の逆止弁により、一旦二次側配管に給水された水道水が逆流して一次側配管内の水道水を汚染するのを防止している。
【０００７】
ところで、従来の水道用メータユニットは、二次側メータ保持部材に組み込んだ逆止弁がごみ等の詰まりやパッキンの劣化等によって構造的に使用不能になったりすることがあり、この場合には、逆止弁を交換する必要がある。
【０００８】
しかしながら、従来の水道用メータユニットにおいては、二次側メータ保持部材に組み込んだ逆止弁が、水道用メータニットの製造メーカー独自の寸法・形状であるので、逆止弁の交換は同じ製造メーカーでしか行えないと言う問題があった。
【０００９】
また、従来の水道用メータユニットにおいては、逆止弁の交換時やメンテナンス時には、二次側メータ保持部材に取り付けたキャップ材を外して逆止弁の交換やメンテナンスを行わなければならないが、キャップ部材を外したり、取り付けたりするのに手数がかかり、逆止弁の交換やメンテナンスを簡単且つ迅速に行えないと言う問題があった。
【００１０】
更に、従来の水道用メータユニットにおいては、二次側メータ保持部材からの逆止弁の脱落防止にキャップ部材を必要とし、このキャップ部材が別部品であるため、部品点数が増えてコスト面にも問題があった。
【先行技術文献】
【特許文献】
【００１１】
【特許文献１】特開２００６−１２５０１３号公報
【特許文献２】特開２００６−１３３０７９号公報
【特許文献３】特開２００７−２９７９１０号公報
【考案の概要】
【考案が解決しようとする課題】
【００１２】
本考案は、このような問題点に鑑みて為されたものであり、その目的は、逆止弁に主要寸法（外径寸法）が共通している逆止弁付パッキンを使用し、どこの製造メーカーの逆止弁付パッキンでも取り付けられると共に、逆止弁付パッキンの交換やメンテナンスを簡単且つ迅速に行え、しかも、部品点数の削減を図れるようにした水道用メータユニットを提供することにある。
【００１３】
本件考案者等は、各製造メーカーがそれぞれ製造している逆止弁付パッキンについては主要寸法が共通していることに着目し、この逆止弁付パッキンを水道用メータユニットに使用することにより、上述した従来の水道用メータユニットの各問題点を解決し得ることを着想した。
【課題を解決するための手段】
【００１４】
上記目的を達成するために、本考案の請求項１に係る考案は、長尺状のベースと、ベースの一端部に設けた一次側メータ保持部材と、ベースの他端部に設けられて外径寸法が共通している逆止弁付パッキンが組み込まれる二次側メータ保持部材と、一次側メータ保持部材に二次側メータ保持部材側へスライド可能に設けた筒状のスライド部材とを備え、スライド部材を移動調整してスライド部材と二次側メータ保持部材との間に水道メータを着脱自在に挟持するようにした水道用メータユニットにおいて、前記二次側メータ保持部材は、ベースに固定される二次側支柱部と、二次側支柱部に連設されて逆止弁付パッキンが収容される流路を形成する二次側筒部と、二次側筒部の上流側端面に形成されて逆止弁付パッキンのパッキンが嵌合される流路よりも大径の環状段部と、二次側筒部の上流側端面に連設されて水道メータの出口側端部を支持するメータ受けとを備えており、メータ受けで支持された水道メータの出口側端部と環状段部とで逆止弁付パッキンのパッキンを挟持する構成としたことに特徴がある。
【００１５】
本考案の請求項２に係る考案は、請求項１に記載の考案において、逆止弁付パッキンは、二次側筒部の環状段部に嵌合される断面形状がコ字状で且つ環状のパッキンと、パッキンの環状の溝に保持されてパッキンの外径よりも小径に形成されていると共に、二次側筒部の流路内に収容される逆止弁とから構成されていることに特徴がある。
【００１６】
本考案の請求項３に係る考案は、請求項１又は請求項２に記載の考案において、二次側メータ保持部材は、二次側筒部に形成されてプラグが着脱自在に挿着されるエアー抜き孔又は水抜き孔を備えていることに特徴がある。
【００１７】
本考案の請求項４に係る考案は、請求項１、請求項２又は請求項３に記載の考案において、二次側メータ保持部材の二次側筒部の下流側端部外周面に二次側配管が着脱自在に接続される雄ねじを形成したことに特徴がある。
【００１８】
本考案の請求項５に係る考案は、請求項１、請求項２又は請求項３に記載の考案において、二次側メータ保持部材の二次側筒部の下流側端部内周面に二次側配管が着脱自在に接続される雌ねじを形成したことに特徴がある。
【考案の効果】
【００１９】
本考案の水道用メータユニットは、二次側メータ保持部材の二次側筒部の流路内に外径寸法が共通している逆止弁付パッキンを収容すると共に、二次側筒部の上流側端面に逆止弁付パッキンのパッキンが嵌合される流路よりも大径の環状段部を形成し、水道メータの出口側端部と環状段部とで逆止弁付パッキンのパッキンを挟持する構成としているため、外径寸法が共通しているどこの製造メーカーが製造している逆止弁付パッキンであっても、確実且つ良好に取り付けることができる。
【００２０】
また、本考案の水道用メータユニットは、二次側メータ保持部材の二次側筒部の上流側端面に水道メータの出口側端部を支持するメータ受けを連設し、二次側筒部に形成したメータ受けで水道メータの出口側端部を支持するようにしているため、従来の水道用メータユニットのように、逆止弁の交換時やメンテナンス時に二次側メータ保持部材に取り付けたキャップ部材を外したり、取り付けたりして逆止弁の交換やメンテナンスをする必要もなく、水道メータを取り外した後、逆止弁付パッキンを二次側筒部から取り外したり、二次側筒部へ挿着したりするだけで、逆止弁付パッキンの交換やメンテナンスを行え、逆止弁付パッキンの交換やメンテナンスを簡単且つ迅速に行える。
【００２１】
更に、本考案の水道用メータユニットは、二次側メータ保持部材の二次側筒部の上流側端面に水道メータの出口側端部を支持するメータ受けを連設しているため、従来の水道用メータユニットのように、受け部を有するキャップ部材を必要とすることがなく、部品点数の削減及びコスト低減を図れる。
【図面の簡単な説明】
【００２２】
【図１】本考案の実施形態に係る水道用メータユニットの正面図である。
【図２】水道メータを省略した水道用メータユニットの平面図である。
【図３】水道メータユニットの一部分を破断した状態の正面図である。
【図４】水道用メータユニットの要部である二次側メータ保持部材部分の拡大断面図である。
【図５】逆止弁付パッキンを示し、（Ａ）は逆止弁付パッキンの正面図、（Ｂ）は逆止弁付パッキンの側面図、（Ｃ）は逆止弁付パッキンの縦断面図である。
【図６】二次側メータ保持部材の他の例を示す図４と同様の拡大断面図である。
【図７】二次側メータ保持部材の更に他の例を示す図４と同様の拡大断面図である。
【図８】二次側メータ保持部材の更に他の例を示す図４と同様の拡大断面図である。
【図９】本考案の他の実施形態に係る水道用メータユニットの正面図である。
【考案を実施するための形態】
【００２３】
以下、本考案の実施形態を図面に基づいて詳細に説明する。
図１〜図３は本考案の実施形態に係る水道用メータユニットを示し、当該水道用メータユニットは、例えば、マンションや集合住宅等の戸口付近に設けたパイプシャフト等の収納スペースに設置されており、長尺状のベース１と、ベース１の一端部に設けた一次側メータ保持部材２と、ベース１の他端部に設けられて主要寸法（外径寸法）が共通している逆止弁付パッキン３が組み込まれる二次側メータ保持部材４と、一次側メータ保持部材２に二次側メータ保持部材４側へスライド可能に設けた筒状のスライド部材５と、一次側メータ保持部材２に支持された一次側エルボ６と、一次側エルボ６の上流側端部に継手７を介して接続された減圧弁８と、減圧弁８の入口側に継手７及び伸縮管９を介して接続された止水栓１０等を備えている。
【００２４】
また、水道用メータユニットの止水栓１０の入口側には、継手等を介して一次側配管（図示省略）が接続されていると共に、二次側メータ保持部材４の下流側には、継手等を介して二次側配管（図示省略）が接続されている。
【００２５】
尚、継手７、減圧弁８、伸縮管９及び止水栓１０は、従来公知のものと同様構造に構成されているため、ここではその詳細な説明を省略する。
【００２６】
前記ベース１は、長尺状のステンレス鋼板を折り曲げ加工することにより形成されており、長尺状の基部１ａと、基部１ａの両端部に連設されてベース１をボルト等により床面等に固定するための脚部１ｂとを備えている。
【００２７】
この実施形態においては、ベース１をステンレス鋼板により形成したが、他の実施形態においては、ベース１を鋳物により形成しても良い。
【００２８】
前記一次側メータ保持部材２は、鋳物により形成されており、ベース１の基部１ａの一端部上面に複数本のボルト１１により固定される横断面形状が一次側支柱部２ａと、一次側支柱部２ａの上端に連設されて下流側端部内周面に雌ねじ２ｃを形成した一次側筒部２ｂとを備えている。
【００２９】
また、一次側メータ保持部材２の一次側筒部２ｂには、一次側筒部１ａの上流側から一次側エルボ６の下流側端部が回動自在に挿入支持されている。この一次側エルボ６は、ベース１及び一次側支柱部２ａに挿通した抜け止めボルト１２により、一次側筒部１ａから抜け止めされていると共に、一次側筒部１ａに螺挿した締め付けボルト１３を締め付けることにより、所定の角度で固定できるようになっている。
【００３０】
前記スライド部材５は、段付きの筒状に形成されており、小径部分の外周面には、一次側筒部２ｂの雌ねじ２ｃに螺合する雄ねじ５ａが形成されていると共に、大径部分の外周面には、スライド部材５を回転操作するための複数の取っ手部５ｂが所定角度ごとに設けられている。
【００３１】
また、スライド部材５の大径部分の内方には、下流側端面に水道メータ１４の入口側端面に当接し得るパッキン１５を設けた環状のメータ押え１６がＯリング１７を介して嵌合されている。
【００３２】
そして、スライド部材５は、小径部分が一次側エルボ６の下流側端部外周面にＯリング１７を介して回転自在に嵌合されていると共に、小径部分に形成した雄ねじ５ａが一次側筒部２ｂの雌ねじ２ｃに螺合されており、取っ手部５ｂを持ってスライド部材５を正逆回転操作することにより、二次側メータ保持部材４側又は一次側メータ保持部材２側へスライド移動するようになっている。
【００３３】
前記二次側メータ保持部材４は、鋳物により形成されており、図４に示す如く、ベース１の基部１ａの他端部上面に複数本のボルト１１により固定される二次側支柱部４ａと、二次側支柱部４ａの上端に連設されて主要寸法（外径寸法）が共通している逆止弁付メータパッキン３が収容される流路４ｃを形成する二次側筒部４ｂと、二次側筒部４ｂの上流側端面に形成されて逆止弁付パッキン３のパッキン３′が嵌合される流路４ｃよりも大径の環状段部４ｄと、二次側筒部４ｂの上流側端面に連設されて水道メータ１４の出口側端部を支持する円弧状のメータ受け４ｅとを備えている。
【００３４】
また、二次側メータ保持部材４の二次側筒部４ｂの下流側端部外周面には、二次側配管が継手を介して着脱自在に接続される雄ねじ４ｆを形成されている。
【００３５】
更に、二次側メータ保持部材４の環状段部４ｄの内径は、後述する逆止弁付パッキン３のパッキン３′が嵌合される大きさに形成されていると共に、環状段部４ｄの深さは、パッキン３′を環状段部４ｄに嵌合したときにパッキン３′の上流側面が環状段部４ｄから突出するように設定されている。
【００３６】
前記逆止弁付パッキン３は、図５に示す如く、環状のパッキン３′と、パッキン３′に保持されてパッキン３′よりも小径に形成された逆止弁３″とから構成されており、製造メーカーに関係なく、その主要寸法（外径寸法）が共通している。
【００３７】
具体的には、パッキン３′は、合成ゴム材により断面形状がコ字状で且つ環状に形成されており、二次側筒部４ｂの環状段部４ｄに嵌合されると共に、環状の溝に逆止弁３″の一部分（フランジ部３ａ１、３ｂ１）が保持されている。
【００３８】
一方、逆止弁３″は、上流側端部にフランジ部３ａ１を有する籠状の本体３ａと、本体３ａの上流側端部に挿着されて上流側端部に本体３ａのフランジ部３ａ１の上流側面に当接するフランジ部３ｂ１を有する筒状押え３ｂと、本体３ａの内周面と筒状押え３ｂの下流側端部との間に設けた環状の弁座パッキン３ｃと、本体３ａに移動可能に保持されて弁座パッキン３ｃに当離座する弁体３ｄと、本体３ａと弁体３ｄとの間に介設されて弁体３ｄを弁座パッキン３ｃから離座する方向へ付勢するコイルスプリング３ｅとから構成されている。
【００３９】
また、本体３ａは、筒状押え３ｂの外周面に嵌合される筒部３ａ２と、筒部３ａ２の上流側端部に連設されて筒状押え３ｂのフランジ部３ｂ１に当接するフランジ部３ａ１と、筒部３ａ２の下流側端部に円周方向に均等に連設されて下流側に向かって延びる三本の柱部３ａ３と、各柱部３ａ３の下流側端部の内側に連設されたお椀形状のボス部３ａ４と、ボス部３ａ４の中央に上流側へ向かって形成された筒状のガイド部３ａ５とを備えている。
【００４０】
更に、弁体３ｄは、弁座パッキン３ｃに当離座するお椀形状の頭部３ｄ１と、頭部３ｄ１から下流側に向かって延びて本体３ａのガイド部３ａ５にスライド可能に挿入支持される弁軸３ｄ２とを備えている。
【００４１】
前記逆止弁付パッキン３は、パッキン３′が二次側筒部４ｂの環状段部４ｄに嵌合されていると共に、逆止弁３″が二次側筒部４ｂの流路４ｃ内に収容されており、スライド部材５を下流側へスライド操作して水道メータ１４を下流側に押圧したときに、パッキン３′が水道メータ１４の出口側端面と環状段部４ｄとで挟持され、水道メータ１４と二次側筒部４ｂとの間を密封することになる。
【００４２】
この状態で止水栓１０が開放されて水道水が流れると、水道水の水圧により弁体３ｄが下流側へ押されて弁座パッキン３ｃから離座し、逆止弁付パッキン３が開放されて水道水が二次側筒部４ｂの流路４ｃ内へ流れることになる。
【００４３】
尚、前記逆止弁付パッキン３は、各製造メーカーがそれぞれ製造しているが、その主要寸法（パッキン３′の外径及び本体３ａの外径）は共通している。
【００４４】
而して、前記水道用メータユニットに水道メータ１４を装着する場合には、水道メータ１４の出口側端部をメータ受け４ｅで支持し、スライド部材５を回転操作して水道メータ１４側へ移動調整すると、スライド部材５が水道メータ１４を下流側へ押圧し、スライド部材５に設けたメータ押え４ｅと二次側筒部４ｂの環状段部４ｄとで水道メータ１４を挟持すると共に、メータ押え１６に設けたパッキン１５と逆止弁付パッキン３のパッキン３′とで水道メータ１４の入口側端面とメータ押え１６との間及び水道メータ１４の出口側端面と二次側筒部４ｂの環状段部４ｄとの間をそれぞれシールし、水道用メータユニットに水道メータ１４が気密状に接続されることになる。
【００４５】
また、水道用メータユニットの取り外す場合には、止水栓１０を閉鎖してからスライド部材５を回転操作して一次側メータ保持部材２側へ移動させると、水道メータ１４を挟圧保持していた力が解除され、水道メータ１４を水道用メータユニットから取り外すことができる。
【００４６】
更に、逆止弁付パッキン３の交換作業やメンテナンス作業を行う場合には、上記の方法により水道メータ１４を取り外せば、二次側メータ保持部材４に組み込まれた逆止弁付パッキン３が取り出し可能に開放され、逆止弁付パッキン３の交換やメンテナンスを行える。
【００４７】
上述した水道用メータユニットは、二次側メータ保持部材４を製造メーカーに関係なく、主要寸法（外径寸法）が共通している逆止弁付パッキン３を組み込める構成としているため、どこの各製造メーカーが製造している逆止弁付パッキン３でも取り付けることができる。
【００４８】
また、水道用メータユニットは、水道メータ１４を取り外せば、逆止弁付パッキン３を二次側メータ保持部材４の二次側筒部４ｂから取り外したり、二次側筒部４ｂへ挿着したりすることができるため、逆止弁付パッキン３の交換やメンテナンスを簡単且つ迅速に行える。
【００４９】
更に、水道用メータユニットは、二次側メータ保持部材４の二次側筒部４ｂの上流側端面に水道メータ１４の出口側端部を支持するメータ受け１６を連設しているため、従来の水道用メータユニットのように、受け部を有するキャップ部材を必要とすることがなく、部品点数の削減及びコスト低減を図れる。
【００５０】
図６は水道用メータユニットに用いる二次側メータ保持部材４の他の例を示し、当該二次側メータ保持部材４は、二次側筒部４ｂの上面部にプラグ１８が着脱自在に挿着されるエアー抜き孔４ｇ又は水抜き孔４ｇを形成したものであり、エアー抜き孔４ｇ又は水抜き孔４ｇの内周面には、雌ねじ４ｈが形成され、また、プラグ１８の外周面には、前記雌ねじ４ｈに螺合する雄ねじ１８ａが形成されていると共に、Ｏリング１７が嵌合されている。
【００５１】
この二次側メータ保持部材４は、二次側筒部４ｂにエアー抜き孔４ｇ又は水抜き孔４ｇを形成したこと以外は、図１〜図４に示す二次側メータ保持部材４と同様構造に構成されており、図１〜図４に示す二次側メータ保持部材４と同じ部位・部材には同一の参照番号を付し、その詳細な説明を省略する。
【００５２】
図７は水道用メータユニットに用いる二次側メータ保持部材４の更に他の例を示し、当該二次側メータ保持部材４は、二次側メータ保持部材４の二次側筒部４ｂの下流側端部内周面に二次側配管が着脱自在に接続されるテーパ状の雌ねじ４ｉを形成したものである。
【００５３】
この二次側メータ保持部材４は、二次側筒部４ｂにテーパ状の雌ねじ４ｉを形成したこと以外は、図１〜図４に示す二次側メータ保持部材４と同様構造に構成されており、図１〜図４に示す二次側メータ保持部材４と同じ部位・部材には同一の参照番号を付し、その詳細な説明を省略する。
【００５４】
図８は水道用メータユニットに用いる二次側メータ保持部材４の更に他の例を示し、当該二次側メータ保持部材４は、二次側筒部４ｂの上面部にプラグ１８が着脱自在に挿着されるエアー抜き孔４ｇ又は水抜き孔４ｇを形成すると共に、二次側メータ保持部材４の二次側筒部４ｂの下流側端部内周面に二次側配管が着脱自在に接続されるテーパ状の雌ねじ４ｉを形成したものであり、エアー抜き孔４ｇ又は水抜き孔４ｇの内周面には、雌ねじ４ｈが形成され、また、プラグ１８の外周面には、前記雌ねじ４ｈに螺合する雄ねじ１８ａが形成されていると共に、Ｏリング１７が嵌合されている。
【００５５】
この二次側メータ保持部材４は、二次側筒部４ｂにエアー抜き孔４ｇ又は水抜き孔４ｇと雌ねじ４ｉを形成したこと以外は、図１〜図４に示す二次側メータ保持部材４と同様構造に構成されており、図１〜図４に示す二次側メータ保持部材４と同じ部位・部材には同一の参照番号を付し、その詳細な説明を省略する。
【００５６】
図６〜図８に示す二次側メータ保持部材４を水道用メータユニットに使用した場合でも、図１〜図４に示す水道用メータユニットと同様の作用効果を奏することができる。
【００５７】
図９は本考案の他の実施形態に係る水道用メータユニットを示し、当該水道用メータユニットは、減圧弁８を省略し、一次側エルボ６に止水栓１０を接続したものである。
【００５８】
尚、上記の各実施形態においては、一次側メータ保持部材２に止水栓１０等を上向きに接続するようにしたが、止水栓１０等の向きは上記の実施形態に限定されるものではなく、如何なる向きであっても良い。
【００５９】
また、本考案は、上記の実施形態に限定解釈されるものではなく、本考案の趣旨を逸脱しない範囲において種々の変更が可能である。
【符号の説明】
【００６０】
１はベース、１ａは基部、１ｂは脚部、２は一次側メータ保持部材、２ａは一次側支柱部、２ｂは一次側筒部、２ｃは雌ねじ、３は逆止弁付パッキン、３′はパッキン、３″は逆止弁、３ａは本体、３ａ１はフランジ部、３ａ２は筒部、３ａ３は柱部、３ａ４はボス部、３ａ５は筒状のガイド部、３ｂは筒状押え、３ｂ１はフランジ部、３ｃは弁座パッキン、３ｄは弁体、３ｄ１は頭部、３ｄ２はガイド部、３ｅはコイルスプリング、４は二次側メータ保持部材、４ａは二次側支柱部、４ｂは二次側筒部、４ｃは流路、４ｄは環状段部、４ｅはメータ受け、４ｆは雄ねじ、４ｇはエアー抜き孔又は水抜き孔、４ｈはエアー抜き孔又は水抜き孔の雌ねじ、４ｉはテーパ状の雌ねじ、５はスライド部材、５ａは雄ねじ、５ｂは取っ手部、６は一次側エルボ、７は継手、８は減圧弁、９は伸縮管、１０は止水栓、１１はボルト、１２は一次側エルボの抜け止めボルト、１３は一次側エルボの締め付けボルト、１４は水道メータ、１５はメータ押えのパッキン、１６はメータ押え、１７はＯリング、１８はプラグ、１８ａは雄ねじ。
【図１】
0003195103.tif 000003
【図２】
0003195103.tif 000004
【図３】
0003195103.tif 000005
【図４】
0003195103.tif 000006
【図５】
0003195103.tif 000007
【図６】
0003195103.tif 000008
【図７】
0003195103.tif 000009
【図８】
0003195103.tif 000010
【図９】
0003195103.tif 000011